(57)【要約】【課題】  より合理的に構成された共鳴音発生装置を得ること。【解決手段】  共鳴音発生体１００と、ハンマー２００と、ハンマーを駆動す駆動手段３００とを備え、ハンマーが共鳴音発生体を打撃して共鳴音を発生する共鳴音発生装置において、共鳴音発生体に当接して共鳴音を停止する消音体４００と、消音体を共鳴音発生体に当接する消音体当接手段５００とを備え、ハンマーは、所定の停止位置に向って付勢されたものであるとともに、駆動手段により停止位置から移動して共鳴音発生体を打撃するものであり、消音体は、打撃に伴う衝撃により共鳴音発生体から離れるものとし、消音体当接手段は、ハンマーに連動するものであり、ハンマーが停止位置にもたらされるとともに、消音体を共鳴音発生体に向って移動して、消音体を共鳴音発生体に当接する構成とした。【選択図】図２
2008185886.tif 000002
【特許請求の範囲】
【請求項１】
共鳴音発生体と、前記共鳴音発生体を打撃するハンマーと、前記ハンマーを駆動す駆動手段とを備え、前記ハンマーが前記共鳴音発生体を打撃して共鳴音を発生する共鳴音発生装置において、
前記共鳴音発生体に当接して前記共鳴音を停止する消音体と、前記消音体を前記共鳴音発生体に当接する消音体当接手段とを備え、
前記ハンマーは、所定の停止位置に向って付勢されたものであるとともに、前記駆動手段により前記停止位置から移動して前記共鳴音発生体を打撃するものであり、
前記消音体は、前記打撃に伴う衝撃により前記共鳴音発生体から離れるものとし、
前記消音体当接手段は、前記ハンマーに連動するものであり、前記ハンマーが前記停止位置にもたらされるとともに、前記消音体を前記共鳴音発生体に向って移動して、前記消音体を前記共鳴音発生体に当接することを特徴とする共鳴音発生装置。
【発明の詳細な説明】
【技術分野】
【０００１】
本発明は、ハンマーが共鳴音発生体を打撃して共鳴音を発生する共鳴音発生装置に関する。
【背景技術】
【０００２】
一般に、共鳴音を発生する装置としては、ハンマーにて棒鈴や鐘体等の共鳴音発生体を打撃するものが知られている。ハンマーの駆動については、ソレノイドを用いる構成が広く採用されている。ソレノイドを用いてなる装置は、特許文献１乃至５にも開示されている。また、共鳴音発生装置は、共鳴音発生体の音色が異なるものを複数設けて、メロディーを奏でるように構成することも可能であり、からくり時計やオルゴール装置のパフォーマンスを向上するものとしても、広く利用されている。特許文献６及び７には、この種の装置を用いてなる優れた時計装置が開示されている。
【特許文献１】特開平５−５３５７１号公報
【特許文献２】特開平６−６４２９５号公報
【特許文献３】特開平１０−１０５１７６号公報
【特許文献４】特開平１１−１７５０５５号公報
【特許文献５】特開２０００−１３７４８２号公報
【特許文献６】特開平１１−１６１２７６号公報
【特許文献７】特開平１１−１６１２７７号公報
【発明の開示】
【発明が解決しようとする課題】
【０００３】
さて、前述した共鳴音発生装置の利用形態は、近年ますます多様化される傾向にあり、その性能についても、優れた共鳴音の発生能力を確保するとともに、発生した共鳴音を適宜停止するための構成も必要とされている。例えば、複数の装置にてメロディーを奏でる場合には、共鳴音の余韻が邪魔になることもある。
【０００４】
共鳴音は、共鳴音発生体に消音体を当接して停止することが可能である。ここで、消音体とは、共鳴音発生体の振動を吸収する部材をいう。但し、共鳴音発生体に消音体を当接するための駆動手段を別途に設けると、装置の複雑化や大型化を招くとともに、制御も煩雑化するという問題がある。つまるところ、発生した共鳴音を所要のタイミングで停止するという構成を、より簡単に達成するための工夫が求められている。本発明は、かかる事情に鑑みてなされたものであり、その目的は、より合理的に構成された共鳴音発生装置を提供することである。
【課題を解決するための手段】
【０００５】
本願第１請求項に記載した発明は、共鳴音発生体と、前記共鳴音発生体を打撃するハンマーと、前記ハンマーを駆動す駆動手段とを備え、前記ハンマーが前記共鳴音発生体を打撃して共鳴音を発生する共鳴音発生装置において、前記共鳴音発生体に当接して前記共鳴音を停止する消音体と、前記消音体を前記共鳴音発生体に当接する消音体当接手段とを備え、前記ハンマーは、所定の停止位置に向って付勢されたものであるとともに、前記駆動手段により前記停止位置から移動して前記共鳴音発生体を打撃するものであり、前記消音体は、前記打撃に伴う衝撃により前記共鳴音発生体から離れるものとし、前記消音体当接手段は、前記ハンマーに連動するものであり、前記ハンマーが前記停止位置にもたらされるとともに、前記消音体を前記共鳴音発生体に向って移動して、前記消音体を前記共鳴音発生体に当接する構成の共鳴音発生装置である。
【発明の効果】
【０００６】
本発明によれば、より合理的に構成された共鳴音発生装置を得ることができる。
【発明を実施するための最良の形態】
【０００７】
以下に、本発明の実施例を図面に基づいて説明する。図１乃至図４に示す本例の共鳴音発生装置１は、共鳴音発生体１００と、共鳴音発生体１００を打撃するハンマー２００と、ハンマー２００を駆動す駆動手段３００とを備え、ハンマー２００が共鳴音発生体１００を打撃して共鳴音を発生するものである。また、この共鳴音発生装置１は、共鳴音発生体１００に当接して共鳴音を停止する消音体４００と、消音体４００を共鳴音発生体１００に当接する消音体当接手段５００とを備えている。各構成部材は、壁体６００及び壁体６００に設置された支持体６１０に支持されている。
【０００８】
共鳴音発生体１００は、金属製又は陶器製の棒鈴である。支持体６１０に部分的に固定され、その長径が上下方向となるように設けられている。或は、天井等に吊下げて設けるようにしてもよい。
【０００９】
ハンマー２００は、駆動手段３００により所定の停止位置から移動して共鳴音発生体１００を打撃するものである。このハンマーは、支持体６１０に支持した軸部２０１を中心に揺動するものであり、共鳴音発生体１００に当接してこれを打撃する金属製の打撃部２１０と、打撃部２１０を支える棒状部２２０と、軸部２０１にて枢支されるとともに棒状部２２０を固定した基端部２３０と、基端部に設けられた槓杆部２４０とを備えている。尚、棒状部２２０は、可撓性を有する部材となっている。駆動手段３００は、槓杆部２４０に連結されている。
【００１０】
更に、このハンマー２００は、その停止位置に向って付勢されたものとなっている。具体的には、槓杆部２４０と支持体６１０との間にそれらを連結するコイルばね２５０が設けられており、ハンマー２００は、その自重及びコイルばね２５０の力によって、打撃部２１０が共鳴音発生体１００から離れる方向に付勢されており、所定の停止位置で停止する構成となっている（図１及び図２参照）。
【００１１】
駆動手段３００は、ソレノイド３１０の鉄芯３１１をハンマー２００の槓杆部２４０にリンク３２０を介して接続してなるものである。ソレノイド３１０を励起すると、鉄芯３１１が押し出されてハンマー２００が勢い良く持ち上がる。すると、ハンマー２００の基端部２３０の要所が支持体６１０に設けられた凸部６１１に激突し、棒状部２２０が撓みつつ打撃部２１０が共鳴音発生体１００を打撃し、その後共鳴音が発生する（図３参照）。
【００１２】
消音体４００は、共鳴音発生体１００の振動を吸収するクッション状の部材である。消音体４００の移動方向は、支持体６１０に設けられたガイド部６１２にて規制されている。図例したガイド部６１２は、消音体４００の背面に設けられたプレート体４１０を貫通するレールであり、水平方向に真っ直ぐ延びている。消音体４００は、共鳴音発生体１００に対してハンマー２００の打撃方向と対抗する方向から当接し、また、打撃に伴う衝撃により共鳴音発生体１００から離れるものとなっている。図３中の白矢印は、衝撃により消音体４００が共鳴音発生体１００から離れる方向を示している。
【００１３】
共鳴音発生体１００を打撃した後は、棒状部２２０が復元して打撃部２１０が共鳴音発生体１００から離れるとともに、消音体４００が共鳴音発生体１００から離れる。ソレノイド３１０を励起したままであると、ハンマー２００は持ち上げられた状態を維持する（図４参照）。共鳴音は、この際に継続して発生している。
【００１４】
消音体当接手段５００は、ハンマー２００に連動するものであり、ハンマー２００が停止位置にもたらされるとともに、消音体４００を共鳴音発生体１００に向って移動して、消音体４００を共鳴音発生体１００に当接する。すなわち、前述したようにハンマー２００が持ち上げられた状態からソレノイド３１０の励起を終了すると、付勢されたハンマー２００に連動して消音体４００を移動し、消音体４００が共鳴音発生体１００に当接したところで停止する構成となっている。ハンマー２００の停止位置は、消音体当接手段５００により規制されている。
【００１５】
本例の消音体当接手段５００は、ハンマー２００の基端部２３０に固定されたアーム部５１０と、アーム部５１０の先端に支持されたローラー部５２０とを備えている。ソレノイド３１０の励起を終了してハンマー２００が停止位置へと移動すると、アーム部５１０の角度が変化してローラー部５２０が消音体４００の背面に設けられたプレート体４１０を押しつつ共鳴音発生体１００に向って移動する。消音体４００が共鳴音発生体１００に当接すると、共鳴音が停止する。共鳴音発生体１００には、消音体４００を介してハンマー２００の付勢力がかかる。尚、ハンマー２００が共鳴音発生体１００を打撃する際には、ローラー部５２０は消音体４００のプレート体４１０から離脱している。
【００１６】
このような構成によると、ソレノイド３１０を励磁している間は共鳴音が発生し、ソレノイド３１０の励磁を終了すると共鳴音が停止する。すなわち、ソレノイド３１０の制御のみにて共鳴音の発生・停止を行うことが可能である。
【００１７】
以上説明したように、本例の共鳴音発生装置によると、発生した共鳴音を所要のタイミングで停止することができる。共鳴音を停止するための構成も簡素であり、装置の複雑化や大型化を回避することができる。また、制御も容易である。尚、本例における各部の構成は、特許請求の範囲に記載した技術的範囲において適宜に設計変更が可能であり、図例説明したものに限定されないことは勿論である。
【産業上の利用可能性】
【００１８】
本発明の共鳴音発生装置は、共鳴音を発生する装置として好適に利用することが可能である。特に、共鳴音発生体の音色が異なるものを複数設けて、メロディーを奏でるように構成することも可能である。また、からくり時計やオルゴール装置のパフォーマンスを向上するものとしても、好適に利用することが可能である。
【図面の簡単な説明】
【００１９】
【図１】本発明の実施例に係り、共鳴音発生装置（ハンマーが停止位置にある状態）を示す正面図である。
【図２】本発明の実施例に係り、共鳴音発生装置（ハンマーが停止位置にある状態）を示す側面図である。
【図３】本発明の実施例に係り、共鳴音発生装置（ハンマーが共鳴音発生体を打撃した瞬間）を示す側面図である。
【図４】本発明の実施例に係り、共鳴音発生装置（共鳴音を発生している状態）を示す側面図である。
【符号の説明】
【００２０】
１    共鳴音発生装置
１００    共鳴音発生体
２００    ハンマー
２０１    軸部
２１０    打撃部
２２０    棒状部
２３０    基端部
２４０    槓杆部
２５０    コイルばね
３００    駆動手段
３１０    ソレノイド
３１１    鉄芯
３２０    リンク
４００    消音体
４１０    プレート体
５００    消音体当接手段
５１０    アーム部
５２０    ローラー部
６００    壁体
６１０    支持体
６１１    凸部
６１２    ガイド部
【図１】
2008185886.tif 000003
【図２】
2008185886.tif 000004
【図３】
2008185886.tif 000005
【図４】
2008185886.tif 000006